(57)【特許請求の範囲】
【請求項１】
缶胴の開口に取り付けられるパネルと、
一方向に沿って配置され、前記パネルに開口が形成される際にユーザにより操作されるタブと、
前記タブを前記パネルに固定する第１のリベットと、
前記一方向と交差する方向において前記第１のリベットとは異なる位置に配置され、前記タブを前記パネルに固定する第２のリベットと、
前記パネルの表面から突出して設けられるとともに前記第１のリベットと前記第２のリベットとの間に配置され、ユーザによって操作された前記タブにより押圧される被押圧部と、
を備え、
前記タブは、前記一方向に沿う予め定められた領域が前記パネルから離れる方向に向かって突出した状態で形成され、
前記タブの前記領域が前記パネルから離れる方向に向かって突出することによって当該タブには溝が形成され、
前記タブに形成された前記溝の内部に前記被押圧部の少なくとも一部を収めることができるように当該溝および当該被押圧部が形成されている缶蓋。
【請求項２】
缶胴の開口に取り付けられるパネルと、
一方向に沿って配置され、前記パネルに開口が形成される際にユーザにより操作されるタブと、
前記タブを前記パネルに固定する第１のリベットと、
前記一方向と交差する方向において前記第１のリベットとは異なる位置に配置され、前記タブを前記パネルに固定する第２のリベットと、
前記パネルの表面から突出して設けられるとともに前記第１のリベットと前記第２のリベットとの間に配置され、ユーザによって操作された前記タブにより押圧される被押圧部と、
を備え、
前記タブは、前記一方向に沿う予め定められた領域が前記パネルから離れる方向に向かって突出した状態で形成され、
前記タブの前記領域は、当該タブの一端部から他端部にかけて設けられ、当該一端部から当該他端部にかけて位置する当該領域が前記パネルから離れる方向に向かって突出している缶蓋。
【請求項３】
突出部を表面に備えたパネルと、
前記パネルに開口が形成される際にユーザにより操作され、当該パネルの前記突出部を押圧するタブと、
前記パネルの前記突出部の両脇のうちの一方の脇に配置され、前記タブを当該パネルに固定する第１のリベットと、
前記パネルの前記突出部の前記両脇のうちの他方の脇に配置され、前記タブを当該パネルに固定する第２のリベットと、
を備え、
前記タブは、一方向に沿って配置されているとともに当該一方向における一方の端部に側辺を備え、当該タブがユーザにより操作された際、当該側辺を前記突出部に接触させて当該突出部の押圧を行い、
前記パネルを正面から且つ前記タブが取り付けられている側から眺めた場合において、当該タブの前記一方の端部に位置する前記側辺は、前記一方向と直交する直線であって前記第１のリベットおよび前記第２のリベットを通る当該直線よりも当該タブの他方の端部側に設けられている缶蓋。
【請求項４】
突出部を表面に備え、缶本体に取り付けられるパネルと、
前記パネルに開口が形成される際にユーザにより操作され、当該パネルの前記突出部を押圧するタブと、
前記パネルの前記突出部の両脇のうちの一方の脇に配置され、前記タブを当該パネルに固定する第１のリベットと、
前記パネルの前記突出部の前記両脇のうちの他方の脇に配置され、前記タブを当該パネルに固定する第２のリベットと、
を備え、
前記タブは、一方向に沿って配置されているとともに当該一方向における一方の端部に側辺を備え、当該タブがユーザにより操作された際、当該側辺を前記突出部に接触させて当該突出部の押圧を行い、
前記タブの前記側辺は、前記パネルを正面から且つ前記タブが取り付けられている側から眺めた場合において、前記一方向と直交する方向に沿うように形成されているとともに直線状に形成され、
前記パネルを正面から且つ前記タブが取り付けられている側から眺めた場合において、当該タブの前記一方の端部に位置する前記直線状の前記側辺は、前記一方向と直交する直線であって前記第１のリベットおよび前記第２のリベットを通る当該直線に重なるように設けられている缶蓋。
【請求項５】
開口部を有し飲料が内部に収容された缶本体と、当該缶本体の当該開口部を塞ぐ缶蓋と、
を備え、
前記缶蓋は、
突出部を表面に備え、前記缶本体に取り付けられるパネルと、
前記パネルに開口が形成される際にユーザにより操作され、当該パネルの前記突出部を押圧するタブと、
前記パネルの前記突出部の両脇のうちの一方の脇に配置され、前記タブを当該パネルに固定する第１のリベットと、
前記パネルの前記突出部の前記両脇のうちの他方の脇に配置され、前記タブを当該パネルに固定する第２のリベットと、
を備え、
前記タブは、一方向に沿って配置されているとともに当該一方向における一方の端部に側辺を備え、当該タブがユーザにより操作された際、当該側辺を前記突出部に接触させて当該突出部の押圧を行い、
前記パネルを正面から且つ前記タブが取り付けられている側から眺めた場合において、当該タブの前記一方の端部に位置する前記側辺は、前記一方向と直交する直線であって前記第１のリベットおよび前記第２のリベットを通る当該直線よりも当該タブの他方の端部側に設けられている飲料缶。
【請求項６】
開口部を有し飲料が内部に収容された缶本体と、当該缶本体の当該開口部を塞ぐ缶蓋と、
を備え、
前記缶蓋は、
突出部を表面に備え、前記缶本体に取り付けられるパネルと、
前記パネルに開口が形成される際にユーザにより操作され、当該パネルの前記突出部を押圧するタブと、
前記パネルの前記突出部の両脇のうちの一方の脇に配置され、前記タブを当該パネルに固定する第１のリベットと、
前記パネルの前記突出部の前記両脇のうちの他方の脇に配置され、前記タブを当該パネルに固定する第２のリベットと、
を備え、
前記タブは、一方向に沿って配置されているとともに当該一方向における一方の端部に側辺を備え、当該タブがユーザにより操作された際、当該側辺を前記突出部に接触させて当該突出部の押圧を行い、
前記タブの前記側辺は、前記パネルを正面から且つ前記タブが取り付けられている側から眺めた場合において、前記一方向と直交する方向に沿うように形成されているとともに直線状に形成され、
前記パネルを正面から且つ前記タブが取り付けられている側から眺めた場合において、
当該タブの前記一方の端部に位置する前記直線状の前記側辺は、前記一方向と直交する直
線であって前記第１のリベットおよび前記第２のリベットを通る当該直線に重なるように
設けられている飲料缶。
【請求項７】
前記突出部は、前記パネルの前記表面から突出した状態で形成されているとともに半球状に形成されていることを特徴とする請求項５又は６に記載の飲料缶。
【請求項８】
前記突出部は、前記パネルの前記表面から突出した状態で形成されているとともに円錐状に形成されていることを特徴とする請求項５又は６に記載の飲料缶。
【発明の詳細な説明】
【技術分野】
【０００１】
本発明は、缶蓋および飲料缶に関する。
【背景技術】
【０００２】
筒状の胴筒部と、飲み口となる開口が形成される際にユーザにより操作されるタブが取り付けられ胴筒部の上端側を塞ぐ天板部と、胴筒部の下端側を塞ぐ底板部と、を有した飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
現在広く用いられている飲料缶にはタブが取り付けられていることが多く、飲み口となる開口が形成される際には、缶蓋のうちの予め定められた部分がタブにより押圧され、この予め定められた部分が飲料缶の内部へ押し込まれる。ここで、この予め定められた部分のうちのタブにより直接押圧される被押圧部を缶蓋の表面から突出するように形成しておけば、この予め定められた部分の飲料缶内部への入り込み量を大きくすることができる。
ところで、被押圧部を缶蓋の表面から突出するように設けた場合、タブのうちのこの被押圧部を押圧する押圧部を缶蓋から浮かす必要などが生じる。ここで、缶蓋の表面から浮くように押圧部を形成しようとする場合、タブの厚みが増大する。
また、缶蓋の表面から浮くように押圧部を形成しようとする場合、例えば、タブのうちのリベットにより固定されている固定箇所とこの押圧部との間に位置する部位が、固定箇所から押圧部に向かうに従い缶蓋の表面から次第に離れるように、タブを形成する必要が生じる。付言すると、缶蓋の表面とタブとの間に形成される間隙が、上記固定箇所から押圧部に向かうに従い大きくなるようにタブを形成する必要が生じる。そしてこの場合、タブは、リベットが設けられている箇所付近を屈曲部として、押圧部に向かって缶蓋から離れるような傾斜を有するようになる。ところでこの場合、屈曲部が形成されるのに伴いタブの曲げ剛性は減少してしまう。ここで、タブの外周にカール加工などの補強を行うことでタブの強度を向上させることが可能になるが、この場合、タブの厚みがさらに増大することがあり、増大したタブの厚みによっては、缶蓋の上縁よりも上方にタブが突出してしまう。
本発明の目的は、タブにより押圧される被押圧部を缶蓋の表面から突出させた場合に起こりうるタブの厚みの増大を生じにくくすることにある。
【課題を解決するための手段】
【０００５】
本発明が適用される缶蓋は、缶胴の開口に取り付けられるパネルと、一方向に沿って配置され、前記パネルに開口が形成される際にユーザにより操作されるタブと、前記タブを前記パネルに固定する第１のリベットと、前記一方向と交差する方向において前記第１のリベットとは異なる位置に配置され、前記タブを前記パネルに固定する第２のリベットと、前記パネルの表面から突出して設けられるとともに前記第１のリベットと前記第２のリベットとの間に配置され、ユーザによって操作された前記タブにより押圧される被押圧部と、を備える缶蓋である。
【０００６】
ここで、前記パネルの前記表面にはスコア線が形成され、前記スコア線は、前記第１のリベットと前記被押圧部との間、および、前記第２のリベットと当該被押圧部との間を通過するように設けられていることを特徴とすることができる。
また、前記タブのうちの前記被押圧部を押圧するタブ側押圧部は、当該タブがユーザにより操作される前、前記パネルから離間した状態で配置されていることを特徴とすることができる。
また、前記タブは、板状に形成されるとともに、前記一方向に沿う予め定められた領域が前記パネルから離れる方向に向かって突出した状態で形成されていることを特徴とすることができる。
また、前記タブの前記領域が前記パネルから離れる方向に向かって突出することによって当該タブには溝が形成され、前記タブに形成された前記溝の内部に前記被押圧部の少なくとも一部を収めることができるように当該溝および当該被押圧部が形成されていることを特徴とすることができる。
また、前記タブの前記領域は、当該タブの一端部から他端部にかけて設けられ、当該一端部から当該他端部にかけて位置する当該領域が前記パネルから離れる方向に向かって突出していることを特徴とすることができる。
【０００７】
また本発明を飲料缶と捉えた場合、本発明が適用される飲料缶は、開口部を有し飲料が内部に収容された缶本体と、当該缶本体の当該開口部を塞ぐ缶蓋と、を備え、前記缶蓋は、突出部を表面に備え、前記缶本体に取り付けられるパネルと、前記パネルに開口が形成される際にユーザにより操作され、当該パネルの前記突出部を押圧するタブと、前記パネルの前記突出部の両脇のうちの一方の脇に配置され、前記タブを当該パネルに固定する第１のリベットと、前記パネルの前記突出部の前記両脇のうちの他方の脇に配置され、前記タブを当該パネルに固定する第２のリベットと、を備える飲料缶である。
【０００８】
ここで、前記タブのうちの前記突出部を押圧するタブ側押圧部は、当該タブがユーザにより操作される前、当該突出部から離間した状態で配置されるとともに当該突出部の上方に配置され、当該タブがユーザにより操作されることにより、当該突出部の上方から当該突出部に向かって進出し当該突出部の上方から当該突出部を押圧することを特徴とすることができる。
また、前記タブは、一方向に沿って配置されているとともに当該一方向における一方の端部に側辺を備え、当該タブがユーザにより操作された際、当該側辺を前記突出部に接触させて当該突出部の押圧を行い、前記タブの前記側辺は、前記パネルを正面から且つ前記タブが取り付けられている側から眺めた場合において、前記一方向と直交する方向に沿うように形成されているとともに直線状に形成されていることを特徴とすることができる。
また、前記タブは、一方向に沿って配置され、当該一方向における両端の一方に一方の端部を有し当該両端の他方に他方の端部を備えるとともに当該一方の端部に側辺を備え、当該タブの当該他方の端部側がユーザにより操作された際、当該側辺を前記突出部に接触させて当該突出部の押圧を行い、前記タブの前記側辺は、前記パネルを正面から且つ前記タブが取り付けられている側から眺めた場合において、当該タブの前記他方の端部側に向かって凹むように湾曲した状態で形成されていることを特徴とすることができる。
また、前記パネルを正面から且つ前記タブが取り付けられている側から眺めた場合において、当該タブの前記一方の端部に位置する前記側辺は、前記一方向と直交する直線であって前記第１のリベットおよび前記第２のリベットを通る当該直線よりも当該タブの他方の端部側に設けられていることを特徴とすることができる。
また、前記パネルを正面から且つ前記タブが取り付けられている側から眺めた場合において、当該タブの前記一方の端部に位置する前記直線状の前記側辺は、前記一方向と直交する直線であって前記第１のリベットおよび前記第２のリベットを通る当該直線に重なるように設けられていることを特徴とすることができる。
また、前記突出部は、前記パネルの前記表面から突出した状態で形成されているとともに半球状に形成されていることを特徴とすることができる。
また、前記突出部は、前記パネルの前記表面から突出した状態で形成されているとともに円錐状に形成されていることを特徴とすることができる。
【発明の効果】
【０００９】
本発明によれば、タブにより押圧される被押圧部を缶蓋の表面から突出させた場合に起こりうるタブの厚みの増大を生じにくくすることができる。
【図面の簡単な説明】
【００１０】
【図１】本実施の形態が適用される飲料缶を説明するための図である。
【図２】タブの他の構成例を示した図である。
【図３】突出部の他の構成例を説明するための図である。
【図４】タブが取り付けられる前のパネルの状態を示した図である。
【図５】タブがユーザにより操作された際に生じるパネルの破断を説明するための図である。
【図６】タブがユーザにより操作された際のタブの動きを示した図である。
【図７】タブがユーザにより操作された際のタブの動きを示した図である。
【図８】飲料缶の比較例を示した図である。
【図９】比較例におけるタブがユーザにより操作された際のタブの状態を示した図である。
【図１０】タブが突出部を押圧する際の状態を側方から眺めた場合の図である。
【図１１】比較例におけるパネルおよびタブを示した図である。
【図１２】タブおよびパネルを側方から眺めた場合の図である。
【図１３】飲料缶の他の構成例を示した図である。
【図１４】タブの他の構成例を示した図である。
【発明を実施するための形態】
【００１１】
以下、添付図面を参照して、本発明の実施の形態について詳細に説明する。
図１は、本実施の形態が適用される飲料缶１００を説明するための図である。なお同図（Ａ）は飲料缶１００を上方から眺めた場合の図であり、同図（Ｂ）は同図（Ａ）の矢印ＩＢ方向からタブ５００およびパネル４００を眺めた場合の図である。また、同図（Ｃ）は同図（Ａ）の矢印ＩＣ方向からタブ５００を眺めた場合の図である。
【００１２】
本実施形態における飲料缶１００は、同図（Ａ）に示すように、上部に開口を有するとともに下部に底部を有し且つ筒状に形成された容器本体（缶胴、缶本体）２００と、容器本体２００の開口に取り付けられ容器本体２００の開口を塞ぐ缶蓋３００とを有している。なお、飲料缶１００の内部には、清涼飲料、炭酸飲料、アルコール飲料などの飲料が充填（収容）されている。
【００１３】
缶蓋３００は、円盤状に形成され基板として機能するパネル４００を有している。ここで、このパネル４００には、その表面にスコア線（切り裂き線、弱化線）４１０が形成されている。さらに、パネル４００のうちのスコア線４１０により囲まれた領域内であってパネル４００の表面には、半球状に形成され飲料缶１００の外側方向に向かって突出した突出部４２０が形成されている。また、パネル４００には、パネル４００に対向するように配置されユーザにより操作されるタブ５００が取り付けられている。ここで、このタブ５００は、パネル４００のうちのスコア線４１０により囲まれた領域に重なるように設けられている。このため、本実施形態では、パネル４００のうちの飲み口となる部分が汚れにくくなっている。
【００１４】
また、本実施形態の構成では、例えば直径が２〜３ｃｍ程度の小径の飲料缶１００であったとしても、開口の面積を確保でき、また、タブ５００の大きさを確保できるようになっている。現在、広く流通している飲料缶（長円状または矩形状のタブが取り付けられた飲料缶）においては、タブを設置するためのタブ用スペース、および、開口を形成するための開口用スペースの二つのスペースを確保する必要が生じる。このため、現在流通している飲料缶にて、飲料缶の直径を小さくする場合は、タブ用スペース、および、開口用スペースの何れか又は両者を小さくする必要が生じる。一方で、本実施形態の構成では、タブ用スペースおよび開口用スペースが上下に重なった状態で設けられるため、タブ用スペースおよび開口用スペースを小さくせずに、飲料缶１００の直径を小さくすることができる。
【００１５】
なお、上記では説明を省略したが、パネル４００（缶蓋３００）は、いわゆる巻き締めによって容器本体２００に固定されており、図１（Ａ）に示すように、パネル４００と容器本体２００との接合部には巻き締め部２５０が形成されている。ここで、この巻き締め部２５０は、環状に形成されている。また、巻き締め部２５０は、パネル４００の表面（タブ５００が取り付けられる面）よりも上方に配置されている。
【００１６】
ここで、タブ５００は、一端部５５および他端部５６を有し、ユーザにより他端部５６側が操作されることで、被押圧部の一例としての突出部４２０を押圧する。より具体的に説明すると、ユーザによって他端部５６側が持ち上げられることで一端部５５側がパネル４００に接近し、この一端部５５側がパネル４００に設けられた突出部４２０を押圧する。これにより、スコア線４１０が形成されている箇所にてパネル４００の破断が生じ、パネル４００に開口が形成される。なお、本実施形態における缶蓋３００は、飲み口として機能する開口がパネル４００に形成された後もタブ５００がパネル４００に取り付けられた状態を維持するいわゆるステイオンタイプの缶蓋である。
【００１７】
タブ５００についてさらに説明すると、本実施形態におけるタブ５００は、同図（Ａ）に示すように、円盤状に形成されたパネル４００の略中央部からパネル４００の外周縁に向かう一方向（以下、この一方向を「タブ配置方向」と称することがある）に沿って配置されている。さらに、タブ５００は、パネル４００の中央部側に上記一端部５５を有しパネル４００の外周縁側に上記他端部５６を有している。
【００１８】
また、タブ５００は、タブ５００の他端部５６側に配置されるとともにタブ配置方向（タブ５００の長手方向）と直交（交差）する方向に沿って配置された第１の側辺５１と、タブ５００の一端部５５側に配置されるとともにタブ配置方向と直交する方向に沿って配置された第２の側辺５２とを有している。ここで、この第２の側辺５２は、突出部４２０から離間した状態で配置されているとともに突出部４２０の上方に配置されている。また、タブ５００は、タブ配置方向に沿うように配置された第３の側辺５３と、同じくタブ配置方向に沿うように配置され第３の側辺５３とは反対側に配置された第４の側辺５４とを有している。なお、第３の側辺５３および第４の側辺５４は互いに接近するように湾曲した状態で形成されている。
【００１９】
また、タブ５００には、同図（Ａ）に示すように、第３の側辺５３と第２の側辺５２とが交わる箇所、および、第４の側辺５４と第２の側辺５２とが交わる箇所に、突出片５７が設けられている。ここで、二つ設けられたこの突出片５７の各々は、第２の側辺５２から突出するように設けられている。付言すると、第１の側辺５１が設けられている側とは反対側に突出するように設けられている。さらに説明すると、二つ設けられた突出片５７は、タブ配置方向と直交する方向において互いにずらされた状態で配置されている。また、二つの突出片５７の間には間隙が形成されている。なお、本実施形態では、タブ５００のうちの突出片５７の部分が、リベット２６０によってパネル４００に固定されている。
【００２０】
なお、本実施形態では、二つ設けられた突出片５７に対応するようにリベット２６０が二つ設けられている。さらに本実施形態では、二つのリベット２６０がタブ配置方向と直交（交差）する方向において互いに異なる位置に配置されているとともに、この二つのリベット２６０の間に突出部４２０が設けられている。付言すると、本実施形態では、突出部４２０の両脇にリベット２６０が設けられた構成となっている。また、本実施形態では、二つのリベット２６０の間に突出部４２０が設けられるとともに、一方のリベット２６０と突出部４２０の間、および、他方のリベット２６０と突出部４２０との間を、スコア線４１０が通過するようになっている。
【００２１】
さらに、本実施形態におけるタブ５００では、同図（Ａ）、（Ｂ）に示すように、タブ５００の中央部（タブ配置方向と直交する方向における中央部）に、タブ５００の基部５１０から突出した突出部５２０が設けられた状態となっている。付言すると、本実施形態では、タブ５００の基部５１０のうちのタブ配置方向に沿って配置された長尺状の領域がパネル４００から離れる方向に向かって突出して形成され、この突出により、タブ５００に対して突出部５２０が形成された状態となっている。ここで、この突出部５２０は、パネル４００から離れる方向に向かって突出するように設けられているとともに、タブ配置方向に沿って配置されている。また、この突出部５２０は、タブ５００の第２の側辺５２から第１の側辺５１にかけて設けられている。
【００２２】
なお、このように突出部５２０を第１の側辺５１まで形成した場合、ユーザはタブ５００の操作を行いやすくなる。本実施形態では、タブ５００が操作される際、タブ５００の他端部５６側がユーザにより持ち上げられるが、突出部５２０が第１の側辺５１まで形成されていると、タブ５００の第１の側辺５１とパネル４００との間隙が形成される。そしてこの場合、ユーザはこの間隙に指を入れることができるようになり、ユーザは、タブ５００の他端部５６側の持ち上げを行いやすくなる。
【００２３】
また、突出部５２０は、平板状に形成された基部５１０の一方の面側から他方の面側に向かって基部５１０を押圧することにより形成され、突出部５２０は、この他方の面から突出するように設けられている。さらに説明すると、本実施形態では、突出部５２０が形成される結果、タブ５００の上記一方の面側に、タブ配置方向に沿う溝５３０（図１（Ｂ）参照）が形成された状態となっている。付言すると、本実施形態におけるタブ５００では、突出部５２０が設けられている面とは反対側の面に、タブ配置方向に沿う溝５３０が形成された状態となっている。
【００２４】
本実施形態におけるタブ５００では、このようにタブ配置方向に沿った突出部５２０（溝５３０）が形成される。このため、本実施形態におけるタブ５００は曲げ剛性が高められている。より具体的に説明すると、パネル４００に開口が形成される際には上記のとおりタブ５００の他端部５６側がユーザにより持ち上げられるが、この際、タブ５００にはタブ５００を曲げようとする荷重が作用することとなる。ここで本実施形態では、上記のように突出部５２０が形成され、タブ５００の曲げ剛性が高められている。このため、本実施形態では、タブ５００を曲げようとする荷重がタブ５００に作用してもタブ５００の曲がりが生じにくくなっている。
【００２５】
なお、上記では説明を省略したが、本実施形態では、タブ５００に形成された溝５３０の幅を、パネル４００に形成された突出部４２０の径よりも大きくしている。これは、第２の側辺５２が突出部４２０を押圧して開口を形成する時、タブ５００の突出片５７の屈曲部周辺に大きな応力を受荷する。このとき、タブ５００の溝５３０は湾曲形状であることにより剛性を有するが、溝５３０から突出片５７に延びる延長部は平面状であるため剛性は劣る。つまり、タブ５００の形状として、剛性の劣る前記延長部の長さは短い方が望ましくなる。このとき、突出片５７の位置は変わらないので、溝５３０の幅が大きければ、前記延長部は短くなり、溝５３０の幅が小さければ、前記延長部は長くなる。そのため、タブ５００に形成された溝５３０の幅を、パネル４００に形成された突出部４２０の径よりも大きくすることが望ましい。
また、本実施形態では、タブ５００に形成された溝５３０の幅を、パネル４００に形成された突出部４２０の径よりも大きくすることで、同図（Ａ）、（Ｂ）に示すように、溝５３０の内部に、パネル４００に形成された突出部４２０の一部を収める構成としている。ここで、例えば、溝５３０の幅が小さい場合、溝５３０の内部に突出部４２０を収めることが難しくなり、タブ５００と突出部４２０とが干渉してしまう。なお、このような干渉は、第２の側辺５２を図中他端部５６側（図１（Ａ）における下方向）に後退させることで避けることができるようになる。仮に、タブ５００を回転させたときの第２の側辺５２の軌跡が突出部４２０の中心付近を通る場合、前記側辺５２は突出部４２０を頂部から缶内に押込むため、突出部４２０を缶内に深く曲げ入れることができる。しかし、第２の側辺５２を図中他端部５６側（図１（Ａ）における下方向）に後退させると、前記側辺５２の軌跡は、突出部４２０の側面を通り、突出部４２０の中心付近を通らないため、突出部４２０を缶内に深く曲げ入れることができない。そしてこの場合、パネル４００に形成される開口が小さいものになってしまう。
【００２６】
なお、同図（Ｃ）に示すように、上記突出部５２０の基部５１０からの突出量は一定ではなく（溝５３０の深さは一定ではなく）、突出部５２０のうちタブ５００の一端部５５と他端部５６との間に位置する部位（以下、「中間部位」と称することがある）の突出量は、一端部５５における突出量、他端部５６における突出量よりも小さくなっている。ここで、上記中間部位は、タブ５００がユーザにより操作されタブ５００が約１８０°回転した際（反転した際）に（詳細は後述）、パネル４００の周縁に位置する巻き締め部２５０に対峙するようになる。この際に、中間部位の突出量が小さくなっていると、タブ５００をより多く回転させることができる。そしてこの場合、パネル４００に形成される開口をより大きなものとすることができる。なお、本実施形態では、タブ５００が巻き締め部２５０に対峙する場合を例示するが、飲料缶１００の直径が大きい場合は、反転したタブ５００の第１の側辺５１側がパネル４００の周縁内（巻き締め部２５０よりも内側）に収まるようになり、この場合は、反転したタブ５００はパネル４００の周縁に対峙しないようになる。
【００２７】
なお、タブ５００に形成された突出部５２０（溝５３０）は、上記にて説明した形態に限られない。
例えば、図２（タブ５００の他の構成例を示した図）の（Ａ）に示すように、突出部５２０の頂部５２１を平坦状にするとともにこの頂部５２１から下方に延びる二つの側部５２２を設けることができる。ここで、この形態の場合、平坦状の頂部５２１と側部５２２とが交わる箇所のそれぞれに角部が形成される。付言すると、この形態の場合、二つの角部が形成される。なお、この二つの角部の各々の角度は、同じ角度とすることもできるし、同図（Ｂ）に示すように、異なる角度とすることもできる。
【００２８】
また、図１にて示した突出部５２０は、図２（Ｃ）に示すように（図１（Ｂ）も参照）、頂部５２１と一方の側部５２２とが交わる箇所、頂部５２１と他方の側部５２２とが交わる箇所に曲率を付与した形状であったが、図２（Ｄ）に示すように、突出部５２０の全体に曲率を付与し突出部５２０の断面形状を半円状にすることもできる。また、図１にて示した突出部５２０では、図２（Ｃ）に示すように、頂部５２１と一方の側部５２２とが交わる箇所の曲率、および、頂部５２１と他方の側部５２２とが交わる箇所の曲率が同じであったが、図２（Ｅ）に示すように、曲率を異ならせることもできる。
【００２９】
さらに、図２（Ｆ）に示すように、突出部５２０の頂部５２１を平坦状に形成するとともにこの頂部５２１に対してタブ配置方向に沿った凹凸を形成することもできる。付言すると、突出部５２０の頂部５２１の断面形状を波形とすることもできる。また、頂部５２１に対してタブ配置方向に沿った突出部５２３を設けたり（同図（Ｇ）参照）、頂部５２１に対してタブ配置方向に沿った凹部５２４を設けたりすることもできる（同図（Ｈ）参照）。また、同図（Ｉ）、（Ｊ）に示すように、断面形状において、突出部５２０の頂部５２１をＶ字状とすることもできる。なお、同図（Ｉ）は、頂部５２１を外側方向に突出させることでＶ字状とし、同図（Ｊ）は、頂部５２１を内側方向に突出させることでＶ字状とした場合を示している。
【００３０】
また、パネル４００に形成された突出部４２０についても、図１にて説明した構成以外の構成とすることができる。図１にて示した突出部４２０は、図３（突出部４２０の他の構成例を説明するための図）の（Ａ）にも示すように、側方から眺めた場合の断面形状が半球状であったが、突出部４２０は、例えば、同図（Ｂ）に示すように、円錐状に形成することもできる。なお、図示は省略するが、突出部４２０は、半球状、円錐状などに限らず、円柱状（円筒状）や角柱状に形成することもできる。また、円柱の上面に前記の半球や円錐を載せた形状にすることもできる。
【００３１】
図１を再度参照し、タブ５００についてさらに説明すると、同図（Ａ）に示すように、タブ５００の第１の側辺５１には、切り欠き５１Ａが形成されている。ここで本実施形態では、タブ５００が操作されパネル４００に開口が形成される際、タブ５００の第１の側辺５１とパネル４００との間に形成された間隙にユーザの指が入れられたうえでタブ５００の他端部５６側が持ちあげられる。この際、第１の側辺５１に切り欠き５１Ａが形成されていると、上記間隙に指を入れやすくなり、ユーザは、タブ５００の他端部５６側の持ち上げを行いやすくなる。さらに説明すると、本実施形態における構成では、第１の側辺５１の近くに巻き締め部２５０が位置し、上記間隙に指を入れにくくなっている。このため、本実施形態では、切り欠き５１Ａを形成し、ユーザの指が上記間隙に入りやすい構成としている。
【００３２】
図４は、タブ５００が取り付けられる前のパネル４００の状態を示した図である。
本実施形態におけるパネル４００では、上記のとおり、その表面にスコア線４１０が形成されている。さらに、パネル４００のうちのスコア線４１０により囲まれた領域内には、上記のとおり、半球状に形成され飲料缶１００の外側方向に向かって突出した突出部４２０が形成されている。
【００３３】
ここで、スコア線４１０は、パネル４００のうちのタブ５００により押圧される部位（突出部４２０が設けられている部位）を囲むように形成されている。また、スコア線４１０は、パネル４００の表面に形成された溝により構成されており、パネル４００の破断を誘導する役割を果たす。付言すると、スコア線４１０は、パネル４００の強度を部分的に弱める役割を果たしており、タブ５００によりパネル４００が押圧された際に、このスコア線４１０にてパネル４００の破断が生じるようになる。
【００３４】
また、パネル４００の表面には、タブ５００の突出片５７（図１（Ａ）参照）に形成された貫通孔（不図示）に通された後に押し潰され上記リベット２６０（図１（Ａ）参照）となる第１突起４３１および第２突起４３２が設けられている。さらに、本実施形態のパネル４００には、突出部４２０よりもパネル４００の外周縁側、且つ、スコア線４１０により囲まれている領域内に、パネル４００の補強を行う環状の補強用ビード４４０が設けられている。
【００３５】
ここで、スコア線４１０についてさらに説明すると、本実施形態のスコア線４１０は、略環状に形成されている。また、スコア線４１０は、パネル４００の破断が最初に開始される始点４１１およびパネル４００の破断が終了する終点４１２を有している。なお、始点４１１と終点４１２との間には、スコア線４１０が形成されていないスコア線非形成部４１３が存在している。
【００３６】
ここで、タブ５００がユーザにより操作されタブ５００による突出部４２０の押圧が開始されると、パネル４００のうちのスコア線４１０よりも内側に位置する部位（以下、「内側部位」と称することがある）が飲料缶１００の内部方向に押し込まれ、また、このとき、パネル４００のうちのリベット２６０（図１（Ａ）参照）が位置する箇所が飲料缶１００の外側方向に向けて引っ張られる。これによりスコア線４１０に対してせん断力が作用するようになり、スコア線４１０が設けられている箇所にてパネル４００の破断が発生する。
【００３７】
ここで、図５を参照しパネル４００の破断について詳細に説明する。
図５は、タブ５００がユーザにより操作された際に生じるパネル４００の破断を説明するための図である。なお、本図では、タブ５００の図示を省略している。
タブ５００がユーザにより操作されタブ５００による突出部４２０の押圧が開始されると、まず、同図（Ａ）に示すように、スコア線４１０の始点４１１にてパネル４００の破断が生じるとともに、一方のリベット２６０（以下、このリベットを「第１リベット２６０Ａ」と称する）と突出部４２０との間に位置する部位にてパネル４００の破断が起こる。その後、同図（Ｂ）に示すように、円形の突出部４２０の周囲に沿ってパネル４００の破断が進行する。
【００３８】
次いで、他方のリベット２６０（以下、このリベットを「第２リベット２６０Ｂ」と称する）と突出部４２０との間に位置する部位にてパネル４００の破断が起こる。そして最後に、同図（Ｃ）に示すように、補強用のビード４４０の外周縁に沿ってパネル４００の破断が進行し、終点４１２にてパネル４００の破断が終了する。ここで、本実施形態では、スコア線４１０の始点４１１から終点４１２に向かってパネル４００の破断が進行するのに伴い、上記内側部位が飲料缶１００の内部へ進入する。付言すると、上記スコア線非形成部４１３が設けられている箇所を回転中心として、内側部位は、回転を行いながら飲料缶１００の内部へ進入する。これにより、パネル４００のうちの内側部位が位置していた箇所に開口が形成される。
【００３９】
なお、上記では説明を省略したが、スコア線非形成部４１３は、突出部４２０の近傍に配置されている。付言すると、スコア線非形成部４１３は、パネル４００のうちのタブ５００により押圧される部位の近傍に配置されている。このため、本実施形態では、突出部４２０がスコア線非形成部４１３から離れた箇所に配置されている場合に比べ、飲料缶１００の内部への内側部位の入り込み量が多くなり、パネル４００に形成される開口が大きくなる。
【００４０】
なお、本実施形態では、パネル４００に形成された突出部４２０は、図４に示すように、寸法Ｌだけ、第１突起４３１（第１リベット２６０Ａ）に寄せられた状態で配置されている。さらに説明すると、突出部４２０は、第１突起４３１（第１リベット２６０Ａ）と第２突起４３２（第２リベット２６０Ｂ）とを通る直線の中点よりも第１突起４３１側に配置されている。さらに説明すると、突出部４２０は、スコア線４１０のうちの第２突起４３２と突出部４２０との間に位置する部位よりも、スコア線４１０のうちの第１突起４３１と突出部４２０との間に位置する部位に寄せられた状態で配置されている。このため、本実施形態では、タブ５００によるパネル４００の押圧が開始されると、上記のとおり、まず、第１突起４３１側にてパネル４００の破断が生じるようになる。
【００４１】
次に、タブ５００がユーザにより操作された際のタブ５００の動きについて説明する。
図６、図７は、タブ５００がユーザにより操作された際のタブ５００の動きを示した図である。
ユーザによるタブ５００の操作が開始される際には、まず、図６（Ａ）に示すタブ５００の他端部５６（第１の側辺５１）とパネル４００との間にユーザの指が挿入される。なお上記のとおり、タブ５００の第１の側辺５１には切り欠き５１Ａが形成されており、ユーザは、タブ５００の他端部５６とパネル４００との間への指の挿入を行いやすくなっている。
【００４２】
その後、同図（Ｂ）に示すように、タブ５００の他端部５６側がユーザにより持ち上げられる。この持ち上げが行われると、同図に示すように、突出片５７の根元にてタブ５００が曲がるようになるとともに、タブ５００の他端部５６側が上方に変位する。また、タブ５００の一端部５５側に位置する第２の側辺５２が、突出部４２０の上方から突出部４２０に向かって進出するとともに突出部４２０に突き当たり、第２の側辺５２がこの突出部４２０を上方から押圧する。
なお、本実施形態では、図６（Ａ）に示すように第２の側辺５２が直線状に形成されているが、第２の側辺５２に対して、図１４（タブ５００の他の構成例を示した図）に示すように切り欠きを設けることもできる。付言すると、第２の側辺５２は、第１の側辺５１が位置する側に向かって凹むように湾曲した状態で形成することもできる。第２の側辺５２を直線状に形成した場合は、第２の側辺５２と突出部４２０とが点接触となり、タブ５００のうちの突出部４２０に接触する箇所に応力が集中し、この接触する箇所にて変形などが生じるおそれがある。図１４のように切り欠きを形成した場合は、タブ５００と突出部４２０とが線接触となり、上記応力の集中を避けることができる。なお、第２の側辺５２が直線状に形成されている場合、突出部４２０のうちの第２の側辺５２が接触する箇所を平面状とすることでも、タブ５００と突出部４２０とを線接触で接触させることができるようになる。なお、上記では説明を省略したが、本実施形態では、タブ５００のパネル４００に対する角度が約３０°となったときに、第２の側辺５２が突出部４２０に接触する構成となっている。
【００４３】
第２の側辺５２が突出部４２０を押圧すると、上記のとおりスコア線４１０にてパネル４００の破断が起こる。これにより、内側部位が飲料缶１００の内部へ入り込み、パネル４００に開口が形成される。その後、タブ５００の更なる操作がユーザにより行われ、図７（Ａ）、（Ｂ）に示すように、タブ５００が約１８０°回転した状態（反転した状態）となる。
【００４４】
この状態となると、同図（Ａ）に示すとおり、タブ５００の第２の側辺５２が、パネル４００に形成された開口を通じて飲料缶１００の内部に進入し、パネル４００の突出部４２０を更に押圧した状態となる。そしてこの場合、内側部位が飲料缶１００の内部に更に深く進入した状態となる。
詳細に説明すれば、パネル４００に突出部４２０がない場合、タブ５００の第２の側辺５２が缶内に進入した深さだけパネルを押圧して開口するため、大きな開口は望めない。しかし、パネル４００に突出部４２０を設けることにより、タブ５００の第２の側辺５２が缶内に進入した深さに突出部４２０の高さを加えた深さの開口となる。なお、図７（Ａ）、（Ｂ）を見てわかるように、当初はタブ５００の第２の側辺５２が突出部４２０の頂部に当接押圧して開口を開始するが、開口の進行につれて、開口片が傾くことにより第２の側辺５２と突出部４２０の頂部が当接しなくなってしまう。そこで、本実施形態では第２の側辺５２との当接する箇所が突出部４２０の側辺部に移動しながら押圧し続けることができるように、パネル４００の突出部４２０とタブ５００の第２の側辺５２を配置するようにしている。このことにより、開口角度をさらに大きくし、大きな開口が形成されるようにしている。
このように本実施形態では、パネル４００に突出部４２０が形成されており、この突出部４２０が設けられることによって内側部位が飲料缶１００の内部により深く進入する。そしてこの場合、パネル４００に形成される開口がより大きなものとなる。
なお、上記では説明を省略したが、タブ５００の縁部のうち第２の側辺５２に沿って曲げ加工を施しこの縁部を折り返したり、タブ５００の縁部のうち第２の側辺５２に沿ってカール加工を施したりすることもできる。この場合、第２の側辺５２が突出部４２０を押圧した際に生じうるタブ５００の変形が生じにくくなる。なお、上記折り返しやカール加工は、パネル４００側に向かってタブ５００が曲がるようにタブ５００を変形させることで行うこともできるし、パネル４００側とは反対側に向かってタブ５００が曲がるようにタブ５００を変形させることで行うこともできる。
【００４５】
なお、本実施形態の飲料缶１００では、タブ５００を一方向に向けて約１８０°回転させることより、ユーザは飲料缶１００の内部の飲料を飲むことが可能となる。付言すると、一方向に回転させたタブ５００を逆方向に回転させないでも（初期状態に戻さないでも）、十分な大きさの開口が形成される。このため、ユーザは簡単な操作で内部の飲料を飲むことができるようになる。さらに説明すると、本実施形態では、開口に必要な操作がタブ５００を引き起こす操作だけでよいため、開口の形成に必要な操作が簡便になる。
【００４６】
なお、上記にて説明したが、本実施形態では、突出部５２０（図１（Ｃ）参照）の基部５１０からの突出量は一定ではなく、突出部５２０のうちタブ５００の一端部５５と他端部５６との間に位置する部位（中間部位）の突出量が、一端部５５における突出量、他端部５６における突出量よりも小さくなっている。そして本実施形態では、タブ５００がユーザにより操作されタブ５００が約１８０°回転した際（反転した際）、図７（Ｂ）に示すように、上記中間部位が、巻き締め部２５０に対峙するようになる。この場合、タブ５００をより多く回転させることができ、パネル４００に形成される開口をより大きなものとすることができる。
【００４７】
図８は、飲料缶１００の比較例を示した図である。なお、上記にて説明した実施形態と同様の機能を有する部分については上記と同じ符号を付している。また、同図（Ａ）は比較例の飲料缶１００を上方から眺めた場合の図であり、同図（Ｂ）は同図（Ａ）の矢印ＶＩＩＩＢ方向からタブ５００およびパネル４００を眺めた場合の図である。また、同図（Ｃ）は同図（Ａ）の矢印ＶＩＩＩＣ方向からタブ５００を眺めた場合の図である。
【００４８】
同図に示す比較例では、タブ５００が平板状に形成されている。また、本比較例では、パネル４００の表面に沿うようにタブ５００が配置されているとともに、パネル４００の表面にタブ５００が接触した状態で設けられている。また、本比較例では、二つ設けられた突出片５７に加え、この突出片５７の間に、第２突出片５８が設けられている。なお、この比較例におけるタブ５００では、曲げ剛性を高めるため、第３の側辺５３の縁部、第４の側辺５４の縁部、第２突出片５８の縁部に対してカール加工を施している。
【００４９】
図９は、比較例におけるタブ５００がユーザにより操作された際のタブ５００の状態を示した図である。付言すると、図９は、図８（Ａ）のＩＸ−ＩＸ線における断面におけるタブ５００の状態を示している。
本比較例でも、タブ５００がユーザにより操作される際には、タブ５００の他端部５６側がユーザにより持ち上げられる。これにより、パネル４００のうちのスコア線４１０により囲まれた領域がタブ５００の第２突出片５８により押圧される。そして第２突出片５８による押圧がなされると、スコア線４１０にてパネル４００の破断が起こり、パネル４００に開口が形成される。
【００５０】
ところで、この比較例では、タブ５００がパネル４００に沿うように且つパネル４００に接した状態で配置されているために、タブ５００の他端部５６側がユーザにより持ち上げられると、図９の矢印９Ａに示すように、第２突出片５８の図中下面に対し、第２突出片５８を図中上方に向けて押圧する押圧荷重が作用するようになる。また、タブ５００の他端部５６側にも、矢印９Ｂに示すように、この他端部５６側を図中上方に向けて押圧する押圧荷重が作用するようになる。この結果、この比較例では、第２突出片５８の根元において、タブ５００の曲がりが生じやくなる。そしてこのような曲がりが生じると、パネル４００の開口が形成されない事態が生じたり、形成される開口が小さくなったりする。
【００５１】
一方で、本実施形態における構成では、図１０（タブ５００が突出部４２０を押圧する際の状態を側方から眺めた場合の図）の矢印１０Ａに示すように、タブ５００の第２の側辺５２に対してパネル４００の突出部４２０から荷重が加わるようになるが、この荷重は、タブ５００の長手方向に沿って作用する荷重矢印１０Ｂの半径方向の分力である。付言すると、矢印１０Ｂはタブ５００の長手方向に沿ってタブ５００を圧縮させる荷重となる。本実施形態と比較例の大きな違いは、荷重を受ける方向の違いにある。本実施形態は、タブ５００の長手方向に沿って荷重がかかるが、比較例では、長手方向と直角方向に荷重がかかる。また、タブ５００は長手方向と長手方向と直角方向では強度が異なるため、さらに言えば、タブ５００は長手方向には曲がりにくいが長手方向と直角方向には曲がりやすいため、本実施形態のほうが比較例に比べ剛性を有すると言える。
【００５２】
さらに説明すると、本実施形態における構成では、図１（Ｂ）などに示すように、タブ５００のうちのパネル４００（突出部４２０）を押圧するタブ側押圧部（第２の側辺５２）が、パネル４００から浮いた状態となっている。付言すると、本実施形態では、タブ５００のうち、リベット２６０により固定され回転の支点となる部位よりも、上方に（パネル４００から離れた箇所に）、パネル４００の押圧を行う第２の側辺５２が設けられている。
【００５３】
このため、本実施形態では、タブ５００がパネル４００に接触しタブ５００がパネル４００を押圧した際、タブ５００はパネル４００に対し角度を有した状態で配置されるようになる（図１０参照）。そして、この場合は、上記のとおり、パネル４００からタブ５００に作用する荷重が、タブ５００を圧縮させようとする荷重となる。この結果、本実施形態における構成では、上記の比較例に比してタブ５００の曲がりが生じにくくなる。
【００５４】
なお本実施形態では、上記にて説明したように、二つ設けられたリベット２６０の間に突出部４２０が設けられており、この場合、タブ５００の高さ方向における寸法（タブ５００の厚み）を小さく抑えることができるようになる。ここで、例えば、図１１（比較例におけるパネル４００およびタブ５００を示した図）に示すように、二つ設けられたリベット２６０の間から外れた箇所に突出部４２０を設けた場合、タブ５００の高さ方向における寸法を大きくする必要が生じる。付言すると、第２の側辺５２をパネル４００からより離れた箇所に配置する必要が生じ、この場合、タブ５００の高さ方向における寸法が大きくなる。
【００５５】
ここで、タブ５００の高さ方向における寸法が大きくなる場合、場合によっては、缶蓋３００の上縁（巻き締め部２５０の上縁）よりも上方にタブ５００が突出してしまう。かかる場合、飲料缶１００の積み重ねを行いにくくなるおそれがある。また、飲料缶１００の実質的な占有体積も増大する。このため、本実施形態では、上記のとおり、二つ設けられたリベット２６０の間に突出部４２０を設けることで、タブ５００の高さ方向における寸法を抑えるようにしている。
【００５６】
なお、二つのリベット２６０の間に突出部４２０が位置しているか否か（突出部４２０の両脇にリベット２６０が設けられているか否か）は、図１２（タブ５００およびパネル４００を側方から眺めた場合の図）に示すように、タブ５００を側方から眺めることにより判断することができる。
【００５７】
より具体的には、図１２（Ａ）に示すように、タブ５００を側方から眺めた場合において、突出部４２０の図中右端（符号４２０Ａ参照）よりも図中左側に、且つ、突出部４２０の図中左端（符号４２０Ｂ参照）よりも図中右側に、リベット２６０の少なくとも一部が位置している場合には、二つのリベット２６０の間に突出部４２０が位置していると言える。また、他の例を更に示すと、図１２（Ｂ）にて示す突出部４２０も二つのリベット２６０の間に位置していると言える。この図１２（Ｂ）に示す例でも、突出部４２０の図中右端（符号４２０Ａ参照）よりも図中左側に、且つ、突出部４２０の図中左端（符号４２０Ｂ参照）よりも図中右側に、リベット２６０の一部が位置している。
【００５８】
なお、二つのリベット２６０の間に突出部４２０を配置した場合、タブ５００の高さ方向の寸法を抑えることができるのに加え、タブ５００の操作荷重の低減も可能となる。
ここで、本実施形態では、タブ５００により開口を形成する際、まず、図５（Ａ）に示したように、パネル４００のうちの突出部４２０と第１リベット２６０Ａとの間に位置する部位にて、パネル４００を破断させるが、突出部４２０と第１リベット２６０Ａとの間に位置するこの部位に対してタブ５００からの荷重が集中するようになれば、スコア線４１０におけるパネル４００の破断が生じやすい状況となり、タブ５００の操作荷重を小さくすることができるようになる。
【００５９】
ここで、二つのリベット２６０間から外れた箇所に突出部４２０を設けた場合、突出部４２０と第１リベット２６０Ａとの距離が拡がる。そしてこの場合、突出部４２０と第１リベット２６０Ａとの間に位置する上記部位に作用する荷重（パネル４００の破断を生じさせる荷重）が小さくなりやすい。付言すると、突出部４２０と第１リベット２６０Ａとが接近しているほど、突出部４２０と第１リベット２６０Ａとの間の上記部位に対して荷重が効率的に作用しこの部位に作用する荷重が大きくなる。その一方で、二つのリベット２６０間から外れた箇所に突出部４２０が位置し、突出部４２０と第１リベット２６０Ａとが離れると、荷重の一部がパネル４００の弾性変形などに用いられるようになり、上記部位に作用する荷重が小さくなりやすい。
詳細に言えば、第１リベット２６０Ａと第２リベット２６０Ｂの間に突出部４２０が形成され、突出部４２０は第２リベット２６０Ｂより第１リベット２６０Ａの方に近い位置に配置されている。つまり、突出部４２０は第１リベット２６０Ａに接近している。このとき、突出部４２０の頂部に押圧荷重を受荷した場合、２箇所のリベットそれぞれに作用する荷重について、次の式が成立する。
Ｐ１＝Ｐ２＋Ｐ３…（１）
Ｐ２×ａ＝Ｐ３×ｂ…‥（２）
また、（２）およびａ＜ｂより、Ｐ２＞Ｐ３が成立する。
これにより、第１リベット２６０Ａに作用する荷重ほうが第２リベット２６０Ｂに作用する荷重より大きくなる。
なお、上記Ｐ１は、突出部４２０にかかる押力であり、Ｐ２は、第１リベット２６０Ａに作用する荷重であり、Ｐ３は、第２リベット２６０Ｂに作用する荷重である。また、上記ａは、突出部４２０と第１リベット２６０Ａの距離であり、ｂは、突出部４２０と第２リベット２６０Ｂの距離である。
【００６０】
ここで本実施形態では、上記のとおり、二つのリベット２６０間に突出部４２０が位置しており、突出部４２０と第１リベット２６０Ａとの離間距離が小さくなっている。そしてこの場合、突出部４２０と第１リベット２６０Ａとの間に位置する部位に対し、タブ５００からの荷重が効率的に伝わるようになる。そしてこの場合、上記のとおり、スコア線４１０におけるパネル４００の破断が生じやすい状況となり、パネル４００を破断させる際に要するタブ５００の操作荷重が小さくなる。
【００６１】
ところで、本実施形態では、上記のとおり、タブ５００のうちのパネル４００を押圧する部位をパネル４００から浮かしておくことで、タブ５００の曲がりを生じにくくしたが、タブ５００における曲がりをさらに抑制するには、図８にて示した第２突出片５８のような突出片を設けない構成することが好ましい。具体的には、図１などで示した構成のように、第２の側辺５２から突出する突出片を設けない構成とすることが好ましい。さらに説明すると、図１（Ａ）の第２の側辺５２のように、パネル４００を正面から且つタブ５００が取り付けられている側から眺めた場合において、タブ５００のうちのパネル４００を押圧する部位は、直線状に且つタブ配置方向と直交する方向に沿うように形成しておくことが好ましい。
【００６２】
また、タブ５００における曲がり防止には、パネル４００を正面から且つタブ５００が取り付けられている側から眺めた場合における第２の側辺５２の位置を、図１（Ａ）に示すように、二つのリベット２６０を通る直線ＳＬよりも第１の側辺５１（他端部５６）側とすることが好ましい。なお、図示は省略するが、第２の側辺５２は、二つのリベット２６０を通る直線ＳＬに重なるように設けることもできる。
ここで、第２の側辺５２が、図１３（飲料缶１００の他の構成例を示した図）の（Ａ）に示すように、他端部５６が設けられている側ではなく、他端部５６が設けられている側とは反対側に設けられている場合、タブ５００のうち直線ＳＬが通る部分（符号１２Ａ参照）あたりにてタブ５００の曲がりが生じやすくなる。なお、図１３では、突出部４２０の図示を省略している。また、図１３（Ａ）は飲料缶１００を上方から眺めた場合の図（パネル４００を正面から且つタブ５００が取り付けられている側から眺めた場合の図）であり、同図（Ｂ）は同図（Ａ）の矢印ＸＩＩＩＢ方向からタブ５００およびパネル４００を眺めた場合の図である。
【符号の説明】
【００６３】
５２…第２の側辺、１００…飲料缶、２００…容器本体、２６０Ａ…第１リベット、２６０Ｂ…第２リベット、３００…缶蓋、４００…パネル、４１０…スコア線、４２０…突出部、５００…タブ、５３０…溝
【図１】
0005997430.tif 000002
【図２】
0005997430.tif 000003
【図３】
0005997430.tif 000004
【図４】
0005997430.tif 000005
【図５】
0005997430.tif 000006
【図６】
0005997430.tif 000007
【図７】
0005997430.tif 000008
【図８】
0005997430.tif 000009
【図９】
0005997430.tif 000010
【図１０】
0005997430.tif 000011
【図１１】
0005997430.tif 000012
【図１２】
0005997430.tif 000013
【図１３】
0005997430.tif 000014
【図１４】
0005997430.tif 000015